(57)【特許請求の範囲】
【請求項１】
記録媒体が配置され、主走査方向に延びるプラテンと、
前記記録媒体にインクを吐出するインクヘッドと、
前記プラテン上に配置された前記記録媒体を前方に搬送する搬送機構と、
前記プラテンの上方に配置され、前記記録媒体を押さえるピンチローラと、
前記プラテンに配置された前記記録媒体を押さえた状態における前記ピンチローラより上方に配置され、前記ピンチローラの上端よりも上方から、前記ピンチローラに押さえられた前記記録媒体に向かって光を照射する光源と、を備え、
前記光源は、平面視で、前記インクヘッドの前端よりも後方に配置されている、プリンタ。
【請求項２】
記録媒体が配置され、主走査方向に延びるプラテンと、
前記主走査方向に延びるガイドレールと、
前記ガイドレールに摺動自在に設けられたキャリッジと、
前記キャリッジに設けられたカッティングヘッドと、
前記プラテン上に配置された前記記録媒体を前方に搬送する搬送機構と、
前記プラテンの上方に配置され、前記記録媒体を押さえるピンチローラと、
前記プラテンに配置された前記記録媒体を押さえた状態における前記ピンチローラより上方に配置され、前記ピンチローラの上端よりも上方から、前記ピンチローラに押さえられた前記記録媒体に向かって光を照射する光源と、を備え、
前記光源は、平面視で、前記カッティングヘッドの前端よりも後方に配置されている、プリンタ。
【請求項３】
記録媒体が配置され、主走査方向に延びるプラテンと、
前記記録媒体にインクを吐出するインクヘッドと、
前記プラテン上に配置された前記記録媒体を前方に搬送する搬送機構と、
前記記録媒体を押さえるピンチローラと、
前記ピンチローラより上方に配置され、前記ピンチローラの上端よりも上方から、前記記録媒体に向かって光を照射する光源と、を備え、
前記光源は、平面視で、前記インクヘッドの前端よりも後方に配置されている、プリンタ。
【請求項４】
記録媒体が配置され、主走査方向に延びるプラテンと、
前記主走査方向に延びるガイドレールと、
前記ガイドレールに摺動自在に設けられたキャリッジと、
前記キャリッジに設けられたカッティングヘッドと、
前記プラテン上に配置された前記記録媒体を前方に搬送する搬送機構と、
前記記録媒体を押さえるピンチローラと、
前記ピンチローラより上方に配置され、前記ピンチローラの上端よりも上方から、前記記録媒体に向かって光を照射する光源と、を備え、
前記光源は、平面視で、前記カッティングヘッドの前端よりも後方に配置されている、プリンタ。
【発明の詳細な説明】
【技術分野】
【０００１】
本発明は、プリンタに関する。
【背景技術】
【０００２】
従来から、インクを記録媒体に吐出するインクヘッドや、記録媒体を切断するカッティングヘッドを備えたプリンタが知られている。近年では、比較的大型のサイズの記録媒体を用いることが可能な大型のプリンタの開発が進んでいる。このような大型のプリンタでは、プリンタによる作業を行う前に、作業者は予め記録媒体をプリンタのプラテンに配置して、記録媒体の位置合わせをする必要がある。記録媒体が適切な位置に配置されていない場合には、インクヘッドによる印刷やカッティングヘッドによるカッティングが適切に行われなくなることがあるので、作業者は、記録媒体をプラテンに慎重に配置する必要がある。
【先行技術文献】
【特許文献】
【０００３】
【特許文献１】実開平１−１７４１５３号公報
【発明の概要】
【発明が解決しようとする課題】
【０００４】
ところで、大型の記録媒体をプラテンに配置することが可能なプリンタでは、記録媒体の位置合わせは、プリンタの比較的内部で行われることが多い。プリンタの内部へ行くほど、外からの光が届かなくなり、プリンタ内部に位置する記録媒体の視認性が低下する。このため、従来の大型のプリンタでは、記録媒体の位置合わせが困難であるという問題があった。また、印刷やカッティングの際には、プリンタの内部が暗いため、記録媒体の状況を確認することが困難であるという問題があった。なお、特許文献１に示す技術は、記録媒体の印字する箇所を予め明示するためにスポット的に光を照射する投光手段を設けたものであり、記録媒体の配置時等において、記録媒体の視認性は十分ではない。
【０００５】
本発明はかかる点に鑑みてなされたものであり、その目的は、プラテンに配置された記録媒体において記録媒体の視認性を向上させたプリンタを提供することである。
【課題を解決するための手段】
【０００６】
本発明に係るプリンタは、記録媒体が配置され、主走査方向に延びるプラテンと、前記記録媒体にインクを吐出するインクヘッドと、前記プラテン上に配置された前記記録媒体を前方に搬送する搬送機構と、前記プラテンの上方に配置され、前記記録媒体を押さえるピンチローラと、前記プラテンに配置された前記記録媒体を押さえた状態における前記ピンチローラより上方に配置され、前記ピンチローラの上端よりも上方から、前記ピンチローラに押さえられた前記記録媒体に向かって光を照射する光源と、を備え、前記光源は、平面視で、前記インクヘッドの前端よりも後方に配置されている。
【図面の簡単な説明】
【０００７】
【図１】一実施形態に係るインクジェットプリンタを示す斜視図である。
【図２】一実施形態に係るインクジェットプリンタを示す平面図である。
【図３】一実施形態に係るインクジェットプリンタの一部を拡大した正面図である。
【図４】一実施形態に係るインクジェットプリンタを示す斜視図である。
【図５】一実施形態に係るインクジェットプリンタの一部を拡大した平面図である。
【図６】光源からの光が照射される記録媒体および印刷領域を示す模式図である。
【図７】光源からの光が照射される記録媒体および印刷領域を示す模式図である。
【発明を実施するための形態】
【０００８】
以下、図面を参照しながら、本発明の実施形態に係るインクジェットプリンタについて説明する。なお、ここで説明される実施形態は、当然ながら特に本発明を限定することを意図したものではない。また、同じ作用を奏する部材・部位には同じ符号を付し、重複する説明は適宜省略または簡略化する。
【０００９】
図１は、本実施形態に係るインクジェットプリンタ１０を示す斜視図である。図１に示すように、インクジェットプリンタ１０は、記録媒体１２に印刷を行う。記録媒体１２は、例えば、記録紙である。ただし、記録媒体１２は、記録紙に限定されない。例えば、記録媒体１２は、シート状のメディア、例えば、樹脂製のシートなどであってもよい。
【００１０】
以下の説明では、左、右、上、下とは、インクジェットプリンタ１０の正面にいる作業者から見た左、右、上、下をそれぞれ意味することとする。また、インクジェットプリンタ１０から上記作業者に近づく方を前方、遠ざかる方を後方とする。図面中の符号Ｆ、Ｒｒ、Ｌ、Ｒ、Ｕ、Ｄは、それぞれ前、後、左、右、上、下を表す。後述するインクヘッド８０（図２参照）は左方および右方に移動可能である。記録媒体１２は、前方および後方に搬送可能である。本実施形態では、インクヘッド８０の移動方向を主走査方向Ｙといい、記録媒体１２の搬送方向を副走査方向Ｘという。ここでは、主走査方向Ｙは左右方向に対応し、副走査方向Ｘは前後方向に対応する。主走査方向Ｙと副走査方向Ｘとは直交している。ただし、主走査方向Ｙおよび副走査方向Ｘは特に限定される訳ではなく、インクジェットプリンタ１０の形態等に応じて適宜に設定可能である。
【００１１】
図２に示すように、インクジェットプリンタ１０は、本体部１５と、プラテン１６と、左側方部２２と、右側方部２４と、左脚部２６と、右脚部２８と、を備えている。本体部１５は、左右方向に延びる。本体部１５の左方には、左側方部２２が配置されている。本体部１５の右方には、右側方部２４が配置されている。本体部１５の前部には、プラテン１６が設けられている。プラテン１６の主走査方向Ｙの一の端部である左端部には、上下方向に延びる第１側壁１４Ａが設けられている。プラテン１６の主走査方向Ｙの他の一の端部である右端部には、上下方向に延びる第２側壁１４Ｂが設けられている。第１側壁１４Ａおよび第２側壁１４Ｂは、本体部１５に取り付けられている。左脚部２６および右脚部２８は、本体部１５の下部に取り付けられている。図１に示すように、インクジェットプリンタ１０は、第１カバー部材１５Ａと、第２カバー部材２２Ａと、第３カバー部材２４Ａとを備えている。第１カバー部材１５Ａは、本体部１５の上方および後方を覆う。第２カバー部材２２Ａは、本体部１５の左端部と、左側方部２２を覆う。第３カバー部材２４Ａは、本体部１５の右端部と、右側方部２４を覆う。第１カバー部材１５Ａには、第１カバー部材１５Ａの前端を中心に回動可能なフロントカバー１５Ｈが設けられている。フロントカバー１５Ｈは、光を透過することが可能な材料であれば、特に限定されない。本実施形態では、フロントカバー１５Ｈは、透明なアクリル樹脂で形成されている。フロントカバー１５Ｈを通して、作業者は印刷状態等を確認することができる。フロントカバー１５Ｈには、取っ手１５Ｍが設けられている。作業者がとって１５Ｍを前方に引き上げることによって、フロントカバー１５Ｈが開く。なお、図２において、第１カバー部材１５Ａ、第２カバー部材２２Ａおよび第３カバー部材２４Ａは、便宜上図示を省略している。
【００１２】
図２に示すように、プラテン１６には、記録媒体１２が配置される。プラテン１６は、記録媒体１２を支持する。プラテンは、主走査方向Ｙに延びる。プラテン１６は、平面部１６Ａと、湾曲部１６Ｂとを備えている。平面部１６Ａには、記録媒体１２の端部１２Ａが配置される位置合わせ部１７が設けられている。本実施形態の位置合わせ部１７は、副走査方向Ｘに延びる溝である。なお、位置合わせ部１７は、副走査方向Ｘに延びる目印であってもよいし、突起であってもよい。位置合わせ部１７は、後述のピンチローラ２０のうち、最も右方に位置するピンチローラ２０の前方に形成されている。湾曲部１６Ｂは、平面部１６Ａの前縁１６ＡＡから前斜め下方に向けて湾曲する。湾曲部１６Ｂは、平面部１６Ａから離れるほど湾曲が大きくなる。湾曲部１６Ｂの内部には、図示しないヒータが設けられており、湾曲部１６Ｂは、このヒータによって暖められる。記録媒体１２に吐出されたインクは、湾曲部１６Ｂにおいて暖められ、乾燥が促進される。
【００１３】
図２に示すように、プラテン１６には、記録媒体１２を搬送する搬送機構として、円筒状のグリッドローラ１８が複数設けられている。グリッドローラ１８は、主走査方向Ｙに並んで配置されている。グリッドローラ１８は、その上面を露出させた状態でプラテン１６に埋設されている。グリッドローラ１８は、図示しないフィードモータによって駆動される。フィードモータは後述する制御装置７０（図２参照）に制御される。
【００１４】
図２に示すように、インクジェットプリンタ１０は、プラテン１６の上方に配置された複数のピンチローラ２０を備えている。ピンチローラ２０は、主走査方向Ｙに並んで配置されている。ピンチローラ２０は、グリッドローラ１８より上方に配置されている。ピンチローラ２０は、グリッドローラ１８に対向している。ピンチローラ２０は、記録媒体１２の厚さに応じて上下方向の位置を設定可能に構成されている。ピンチローラ２０は、記録媒体１２を押さえる。グリッドローラ１８およびピンチローラ２０は、記録媒体１２を挟持しながら記録媒体１２を副走査方向Ｘ（前後方向）に搬送可能に構成されている。
【００１５】
図３に示すように、インクジェットプリンタ１０は、ガイドレール３０を備えている。ガイドレール３０は、プラテン１６の上方に配置されている。ガイドレール３０は、ピンチローラ２０より上方に配置されている。ガイドレール３０は、プラテン１６と平行に配置され、左右方向に延びている。
【００１６】
図２に示すように、インクジェットプリンタ１０は、インクヘッド８０とカッティングヘッド８２とを備えている。インクヘッド８０は、インクを記録媒体１２に吐出する。インクヘッド８０は、インクを吐出するノズル（図示せず）を有している。インクヘッド８０は、ガイドレール３０を摺動自在に移動するキャリッジ８１に設けられている。インクヘッド８０は、インクを収容するインク収容体としての複数のインクカートリッジ８５（図１参照）に接続されている。インクカートリッジ８５は、フレーム部材４０の上方に配置されている。インクカートリッジ８５は、第２カバー部材２２Ａ内に収容されている。カッティングヘッド８２は、記録媒体１２を切断する。カッティングヘッド８２は、カッター（図示せず）を有している。カッティングヘッド８２は、ガイドレール３０を摺動自在に移動するキャリッジ８３に設けられている。
【００１７】
図３に示すように、インクジェットプリンタ１０は、フレーム部材４０を備えている。フレーム部材４０は、ピンチローラ２０より上方に配置されている。フレーム部材４０は、第１側壁１４Ａ（図２参照）および第２側壁１４Ｂに支持されている。本実施形態では、フレーム部材４０は、左側方部２２に支持されている。フレーム部材４０は、主走査方向Ｙに延びる。図２に示すように、フレーム部材４０は、平面視でプラテン１６と重なる。フレーム部材４０は、平面視でプラテン１６の平面部１６Ａと重なる。フレーム部材４０は、ピンチローラ２０より前方に配置されている。フレーム部材４０は、プラテン１６Ａの湾曲部１６Ｂより後方に配置されている。フレーム部材４０には、後述する光源５０を搭載する複数の回路基板４２が設けられている。図３に示すように、フレーム部材４０には、複数の開口４４が形成されている。開口４４は、後述する光源５０の下方に形成されている。開口４４は、平面視で光源５０と重なる位置に形成されている。
【００１８】
図３に示すように、インクジェットプリンタ１０は、複数の光源５０を備えている。光源５０は、光を照射する部材であれば特に限定されない。光源５０としては、例えば、発光ダイオード（ＬＥＤ）、レーザーダイオード（ＬＤ）、ＶＣＳＥＬ（Vertical Cavity Surface Emitting Laser：垂直共振器面発光レーザー）等が挙げられる。本実施形態では、光源５０としてＬＥＤを用いている。光源５０は、フレーム部材４０に設けられている。光源５０は、主走査方向Ｙに並んで配置されている。光源５０は、回路基板４２に搭載されている。回路基板４２に搭載された光源５０は、略等間隔に配置されている。光源５０は、例えば５０ｍｍ〜１００ｍｍ程度の間隔に配置されている。本実施形態では、各回路基板４２には３つの光源５０が配置されている。なお、回路基板４２の枚数および回路基板４２に配置される光源５０の数は上記構成に限定されない。ピンチローラ２０とピンチローラ２０との間には、少なくとも一つの光源５０が配置されている。例えば、図３に示す例では、ピンチローラ２０Ａとピンチローラ２０Ｂとの間に光源５０Ｂ、光源５０Ｃおよび光源５０Ｄが配置されている。光源５０Ｂ、光源５０Ｃおよび光源５０Ｄは、ピンチローラ２０Ａよりピンチローラ２０Ｂ側（即ちピンチローラ２０Ａより右方）に配置されている。光源５０Ｂ、光源５０Ｃおよび光源５０Ｄは、ピンチローラ２０Ｂよりピンチローラ２０Ａ側（即ちピンチローラ２０Ｂより左方）に配置されている。図２に示すように、光源５０は、平面視で、プラテン１６の平面部１６Ａの前縁１６ＡＡとピンチローラ２０との間に配置されている。光源５０は、平面視で、プラテン１６の平面部１６Ａの前縁１６ＡＡとピンチローラ２０との中間点Ｍよりピンチローラ２０側に配置されている。光源５０は、平面視で、中間点Ｍより後方に配置されている。本実施形態では、中間点Ｍは、ピンチローラ２０の主走査方向Ｙに延びる軸心から副走査方向Ｘに延びる直線上にある点であって、ピンチローラ２０の軸心からの距離と前縁１６ＡＡからの距離とが等しくなる点である。
【００１９】
光源５０は、プラテン１６に向かって光を照射する。光源５０の光は、フレーム部材４０に形成された開口４４（図３参照）を介してプラテン１６に照射される。図４に示すように、光源５０（図３参照）は、プラテン１６の平面部１６Ａに向かって光を照射する。図４中、符号５０Ｘは、光源５０から照射された光の照射範囲を示す。図４に示すように、光源５０から照射された光の照射範囲５０Ｘは互いに重なる。図５に示すように、光源５０のうち、最も右方に位置する光源５０Ａは、位置合わせ部１７に向かって光を照射する。位置合わせ部１７は、光源５０Ａの光の照射範囲５０Ｘ内に位置する。光源５０は、記録媒体１２の印刷領域１２Ｘを含む領域のみに向かって光を照射するように構成されている。例えば、図６に示す例では、光源５０Ａ〜光源５０Ｇは記録媒体１２の印刷領域１２Ｘを照射するが、光源５０Ｈおよび光源５０Ｉは記録媒体１２の印刷領域１２Ｘを照射しない。すなわち、光源５０Ａ〜光源５０Ｇの光の照射範囲５０Ｘは、印刷領域１２Ｘと重なるが、光源５０Ｈおよび光源５０Ｉの光の照射範囲５０Ｘは、印刷領域１２Ｘと重ならない。このため、光源５０Ｈおよび光源５０Ｉは、光を照射しないように後述する制御装置７０（図２参照）に制御される。また、図７に示す例では、光源５０Ａ〜光源５０Ｄは記録媒体１２の印刷領域１２Ｘを照射するが、光源５０Ｅ〜光源５０Ｉは記録媒体１２の印刷領域１２Ｘを照射しない。すなわち、光源５０Ａ〜光源５０Ｄの光の照射範囲５０Ｘは、印刷領域１２Ｘと重なるが、光源５０Ｅ〜光源５０Ｉの光の照射範囲５０Ｘは、印刷領域１２Ｘと重ならない。このため、光源５０Ｅ〜光源５０Ｉは、光を照射しないように制御装置７０に制御される。本明細書において、印刷領域１２Ｘは、インクヘッド８０からインクが吐出される領域と、カッティングヘッド８２が記録媒体１２をカッティングする領域と、を含む概念である。
【００２０】
図１に示すように、インクジェットプリンタ１０は、制御装置７０を備えている。インクジェットプリンタ１０の全体の動作は、制御装置７０によって制御されている。制御装置７０は、インクヘッド８０、カッティングヘッド８２および光源５０に接続されている。本実施形態では、制御装置７０として、マイクロコンピューターを備えている。制御装置７０は、左側方部２２（図２参照）に設けられている。
【００２１】
表１に示すように、制御装置７０は、インクジェットプリンタ１０の状態に応じて光源５０を制御する。制御装置７０は、インクジェットプリンタ１０の状態に応じて光源５０に供給する電流を変更することによって、光源５０の点灯状態、すなわち照度を制御する。
【００２２】
【表１】
0006039127.tif 000002
【００２３】
表１に示すように、インクジェットプリンタ１０の電源がＯＦＦの場合、制御装置７０にも電源が供給されておらず、光源５０には電流が供給されないため、光源５０は消灯する。また、（１）インクジェットプリンタ１０が待機中の場合、および、（２）定期メンテナンスを行う場合、制御装置７０は光源５０に電流を供給しないため、光源５０は消灯する。
【００２４】
一方、表１に示すように、（１）インクヘッド８０およびカッティングヘッド８２の原点位置を設定する場合、（２）フロントカバー１５Ｈを開けた場合、（３）テスト印刷を行う場合、（４）インクジェットプリンタ１０が印刷またはカッティング作業を行っている場合、（５）インクジェットプリンタ１０が印刷またはカッティング作業を一時停止している場合、および、（６）インクヘッド８０のクリーニングを行っている場合、制御装置７０は光源５０に電流を供給するため、光源５０は点灯する。
【００２５】
さらに、インクジェットプリンタ１０の電源をＯＮにして、湾曲部１６Ｂに設けられたヒータが所定の温度になるまでの間は、制御装置７０は光源５０に電流を断続的に供給するため、光源５０は点滅する。なお、インクジェットプリンタ１０の状態と光源５０の状態とは上記組み合わせに限定されない。また、光源５０の点滅の間隔を適宜変更してもよい。また、インクジェットプリンタ１０に設けられた操作パネル（図示せず）やインクジェットプリンタ１０とは別体に設けられたインクジェットプリンタを制御するコントローラ（図示せず）等を作業者が操作することによって、インクジェットプリンタ１０の状態に関係なく、強制的に光源５０の点灯および消灯を実施できるように構成されていてもよい。
【００２６】
以上のように、インクジェットプリンタ１０は、ピンチローラ２０より上方に配置され、平面視でプラテン１６と重なるフレーム部材４０を備えている。さらに、フレーム部材４０は、プラテン１６に向かって光を照射する複数の光源５０を備えている。このような構成により、プラテン１６に記録媒体１２を配置する際に、複数の光源５０からプラテン１６および記録媒体１２に光が照射されることになる。このため、記録媒体１２の視認性が向上し、記録媒体１２をプラテン１６に配置することが容易となる。さらに、印刷やカッティングの際にも、複数の光源５０からプラテン１６に配置された記録媒体１２に向けて光が照射されるため、記録媒体１２の状況を容易に確認することができる。
【００２７】
本実施形態のインクジェットプリンタ１０によれば、図５に示すように、光源５０は、位置合わせ部１７に向かって光を照射する。このように、位置合わせ部１７には光源５０からの光が照射されるため、位置合わせ部１７の視認性が向上し、位置合わせ部１７に記録媒体１２の端部１２Ａを配置することが容易となる。
【００２８】
本実施形態のインクジェットプリンタ１０によれば、図２に示すように、フレーム部材４０は、第１側壁１４Ａおよび第２側壁１４Ｂに確実に支持されている。このため、フレーム部材４０には、多数の光源５０および回路基板４２を配置することができる。
【００２９】
本実施形態のインクジェットプリンタ１０によれば、図１に示すように、インクカートリッジ８５は、フレーム部材４０の上方に配置される。フレーム部材４０は、第１側壁１４Ａおよび第２側壁１４Ｂに確実に支持されている。このため、フレーム部材４０の上方にインクカートリッジ８５を安定して配置することができる。
【００３０】
本実施形態のインクジェットプリンタ１０によれば、図２に示すように、光源５０は、平面視で、プラテン１６の平面部１６Ａの前縁１６ＡＡとピンチローラ２０との間に配置されている。これにより、光源５０は、プラテン１６の広い範囲に光を照射することができる。
【００３１】
本実施形態のインクジェットプリンタ１０によれば、図２に示すように、光源５０は、平面視で、プラテン１６の平面部１６Ａの前縁１６ＡＡとピンチローラ２０との中間点Ｍよりピンチローラ２０側に配置されている。ピンチローラ２０の周辺は、プラテン１６の平面部１６Ａの前縁１６ＡＡの領域に比べて、光量が少なくなる傾向にある。本実施形態によれば、光源５０は、ピンチローラ２０の周辺により光を照射することができる。
【００３２】
本実施形態のインクジェットプリンタ１０によれば、図３に示すように、ピンチローラ２０Ａとピンチローラ２０Ｂとの間には、光源５０Ｂ、光源５０Ｃおよび光源５０Ｄが配置されている。このように、光源５０同士の間隔を設定することで、プラテン１６の広い範囲に光を照射することができる。
【００３３】
本実施形態のインクジェットプリンタ１０によれば、図７に示すように、光源５０Ａ〜光源５０Ｄは、記録媒体１２の印刷領域１２Ｘを含む領域のみに向かって光を照射するように構成されている。このように、インクジェットプリンタ１０は、記録媒体１２の全体だけでなく、部分的に光を照射することができるため、無駄な光照射を抑制し、消費電力の低減を実現することができる。また、記録媒体１２が比較的小さい場合には、プラテン１６上に記録媒体１２が配置されていない部分が存在することになるが、かかる部分に光を照射させなくすることによって、消費電力の低減を実現することができる。
【００３４】
以上、本発明の実施形態について説明した。しかし、上述の実施形態は例示に過ぎず、本発明は他の種々の形態で実施することが可能である。
【００３５】
上述した実施形態では、インクジェットプリンタ１０は、インクヘッド８０とカッティングヘッド８２とを備えていたが、これに限定されない。インクジェットプリンタ１０は、インクヘッド８０のみを備えていてもよいし、カッティングヘッド８２のみを備えていてもよい。
【符号の説明】
【００３６】
１０  インクジェットプリンタ
１２  記録媒体
１２Ａ  端部
１４Ａ  第１側壁
１４Ｂ  第２側壁
１６  プラテン
１６Ａ  平面部
１６ＡＡ  前縁
１６Ｂ  湾曲部
１７  位置合わせ部
２０  ピンチローラ
４０  フレーム部材
５０  光源
【要約】
【課題】プラテンに配置された記録媒体において記録媒体の視認性を向上させたプリンタを提供すること。
【解決手段】インクジェットプリンタ１０は、記録媒体１２が配置され、主走査方向Ｙに延びるプラテン１６と、記録媒体１２にインクを吐出するインクヘッド８０と、プラテン１６上に配置された記録媒体１２を前方に搬送するグリッドローラ１８と、プラテン１６の上方に配置され、記録媒体１２を押さえるピンチローラ２０と、プラテン１６に配置された記録媒体１２を押さえた状態におけるピンチローラ２０より上方に配置され、ピンチローラ２０の上端よりも上方から、ピンチローラ２０に押さえられた記録媒体１２に向かって光を照射する光源５０と、を備え、光源５０は、平面視で、インクヘッド８０の前端よりも後方に配置されている。
【選択図】図２【図１】
0006039127.tif 000003
【図２】
0006039127.tif 000004
【図３】
0006039127.tif 000005
【図４】
0006039127.tif 000006
【図５】
0006039127.tif 000007
【図６】
0006039127.tif 000008
【図７】
0006039127.tif 000009